(57)【要約】【課題】電波受信性能を劣化させない、衝撃や経年劣化に強いアンテナ保持構造を有する近距離無線通信端末を提供すること。【解決手段】所定の周波数を用いて、外部機器との間で近距離無線中通信を行う携帯端末において、アンテナを有する基板の一端が第一の外装部材に設けられた基板係止部に係止され、前記アンテナを有する基板の、前記基板係止部に対向する他端が、前記第一の外装部材に設けられた爪部により保持され、前記爪部の前記アンテナを有する基板の反対側は、前記第一の外装部材に隣接する第二の外装部材の一部と隣接し、前記第一の外装部材と前記第二の外装部材の間には、互いの位置を規制する規制部が設けられていることを特徴とする。【選択図】図９
2016086211.tif 000002
【特許請求の範囲】
【請求項１】
所定の周波数を用いて、外部機器との間で近距離無線中通信を行う携帯端末において、アンテナを有する基板の一端が第一の外装部材に設けられた基板係止部に係止され、前記アンテナを有する基板の、前記基板係止部に対向する他端が、前記第一の外装部材に設けられた爪部により保持され、前記爪部の前記アンテナを有する基板の反対側は、前記第一の外装部材に隣接する第二の外装部材の一部と隣接し、前記第一の外装部材と前記第二の外装部材の間には、互いの位置を規制する規制部が設けられていることを特徴とする近距離無線通信端末。
【請求項２】
前記第一の外装部材は非金属で形成されていることを特徴とする請求項１に記載の近距離無線通信端末。
【請求項３】
前記第二の外装部材は非金属で形成されていることを特徴とする請求項１又は請求項２に記載の近距離無線通信端末。
【請求項４】
前記爪部は非金属で形成されていることを特徴とする請求項１乃至請求項３の何れか一項に記載の近距離無線通信端末。
【請求項５】
前記第一の外装部材の外観形状は円筒形状となっており、前記爪部は、前記第一の外装部材の円筒形状の内側、中央部に配置されていることを特徴とする請求項１乃至請求項４の何れか一項に記載の近距離無線通信端末。
【発明の詳細な説明】
【技術分野】
【０００１】
本発明は、近距離無線通信機能を備えた近距離無線通信端末に関し、特に無線通信用アンテナの保持構造に関する。
【背景技術】
【０００２】
近年、近距離無線通信機能を装備する電子機器が急速に普及してきている。この近距離無線通信とは、１３．５６ＭＨｚの電波を用いて１０ｃｍ程度の近距離で１００〜４００ｋｂｐｓの双方向通信を行うものであり、一般的にＮＦＣ（Ｎｅａｒ  Ｆｉｅｌｄ  Ｃｏｍｍｕｎｉｃａｔｉｏｎ）と呼ばれている。
【０００３】
この種の通信機能を装備する電子機器においては外部の機器と通信を行うためのアンテナ及びチップ回路から成るアンテナ基板を有している。ＮＦＣによって通信を行う場合には、互いの機器に装備されているアンテナ同士を出来るだけ近接した状態とすることで正しく通信を行う事が出来る。
【０００４】
ところが、アンテナ近傍に金属が存在していると、互いのアンテナが十分近接した状態であっても正しく通信ができない場合がある。
【０００５】
この様な場合における無線通信状態を改善する技術として、磁性材シートをアンテナ周辺に複数配置し、周囲の金属の影響を受けないようにし、通信性能の低下を防ぐ技術が知られている（特許文献１参照）。
【先行技術文献】
【特許文献】
【０００６】
【特許文献１】特開２０１２−１３４７９６号公報
【発明の概要】
【発明が解決しようとする課題】
【０００７】
しかしながら、特許文献１に記載の技術では、磁性材シートを複数使用するため、部品点数が増大し、組立工数の増加を招くなどし、製品コストの上昇を招いてしまう。また、磁性材シートは通常、両面テープ等の粘着剤を用いて周囲の部品に対して貼り付けを行う。そのため、機器に衝撃が加えられた場合や経年劣化によって磁性材シートが剥がれてしまうと、当初の効果を発揮できなくという問題があった。
【０００８】
そこで、本発明の目的は、衝撃や経年劣化に強いアンテナ保持構造を有する近距離無線通信端末を提供することにある。
【課題を解決するための手段】
【０００９】
上記の目的を達成するために、請求項１の発明は、所定の周波数を用いて、外部機器との間で近距離無線中通信を行う携帯端末において、アンテナを有する基板の一端が第一の外装部材に設けられた基板係止部に係止され、前記アンテナを有する基板の、前記基板係止部に対向する他端が、前記第一の外装部材に設けられた爪部により保持され、前記爪部の前記アンテナを有する基板の反対側は、前記第一の外装部材に隣接する第二の外装部材の一部と隣接し、前記第一の外装部材と前記第二の外装部材の間には、互いの位置を規制する規制部が設けられていることを特徴とする近距離無線通信端末である。
【００１０】
請求項２の発明は、請求項１の近距離無線通信端末において、前記第一の外装部材は非金属で形成されていることを特徴とする。
【００１１】
請求項３の発明は、請求項１又は請求項２の近距離無線通信端末において、前記第二の外装部材は非金属で形成されていることを特徴とする。
【００１２】
請求項４の発明は、請求項１乃至請求項３の何れか一項に記載の近距離無線通信端末において、前記爪部は非金属で形成されていることを特徴とする。
【００１３】
請求項５の発明は、請求項１乃至請求項４の何れか一項に記載の近距離無線通信端末において、前記第一の外装部材の外観形状は円筒形状となっており、前記爪部は、前記第一の外装部材の円筒形状の内側、略中央部に配置されていることを特徴とする。
【発明の効果】
【００１４】
本発明によれば、衝撃や経年劣化に強いアンテナ保持構造を有する近距離無線通信端末の提供を実現できる。
【図面の簡単な説明】
【００１５】
【図１】デジタルビデオカメラの斜視図。
【図２】デジタルビデオカメラの分解斜視図。
【図３】上側カバーユニットの分解斜視図。
【図４】ＮＦＣ基板の上面図。
【図５】爪部材の斜視図。
【図６】上側カバーユニットの各部の位置関係及びＮＦＣ基板の保持方法を示す図。
【図７】上側カバーユニットの裏側から見た斜視図。
【図８】前側カバーの斜視図。
【図９】弾性部の断面図。
【図１０】フレキシブル基板の保持を示す分解斜視図。
【図１１】フレキシブル基板部での断面図。
【図１２】上側カバーユニットの裏側を示す図。
【発明を実施するための形態】
【００１６】
以下、本発明を実施するための形態を添付図面に基づいて説明する。
【００１７】
［実施の形態］
＜ビデオカメラの構成要素説明＞
本実施形態においては、ＮＦＣ（Ｎｅａｒ  Ｆｉｅｌｄ  Ｃｏｍｍｕｎｉｃａｔｉｏｎ）を装備した近距離無線通信端末の一例としてデジタルビデオカメラを用いて説明する。まず最初に図１を用いてデジタルビデオカメラ１００の構成を説明する。
【００１８】
図１において、（ａ）は本発明の近距離無線通信端末の実施形態の一例であるデジタルビデオカメラ１００を前側から見た斜視図である。（ｂ）は（ａ）の後側から見た斜視図である。図２はデジタルビデオカメラ１００の分解斜視図である。なお、本実施の形態においては、被写体に向かう方向で上下左右とし、被写体側を正面と定義し説明を行う。また、本実施形態は、近距離無線通信端末の一例としてデジタルビデオカメラを例示するが、これに限定されるものではない。
【００１９】
図１、図２に示すように、本実施形態のデジタルビデオカメラ１００は、内部構造体としてのメインユニット１０１が、前側カバーユニット１０２、上側カバーユニット１０３、左側カバーユニット１０４、及び右側カバーユニット１０５により覆われる。
【００２０】
次に、撮像装置１００の各構成要素について説明を行う。メインユニット１０１は、撮像光学系１０６やデジタルビデオカメラ１００全体の制御や各種処理を行うメイン基板などから構成される。
【００２１】
前側カバーユニット１０２は、デジタルビデオカメラ１００の前側外観を覆うカバーユニットであり、前側カバー１０７を有する。前側カバーユニット１０２は、マイク１０８が設けられている。また、前側カバー１０７には、メインユニット１０１の撮影光学系１０６を露出させる開口部が設けられている。
【００２２】
上側カバーユニット１０３は、デジタルビデオカメラ１００の上側外観面を形成するカバーユニットである。また、後ろ側外観、および右側外観の一部も併せて形成する、回り込んだ形状となっている。上側外装面には、ズームレバー１０９が設けられており、後側外装面には、トリガーキー１１０が設けられている。また、上側カバーユニット１０３の内部にはＮＦＣ基板１１１があり、それを固定するための構成が設けられているが、その詳細は後述する。
【００２３】
左側カバーユニット１０４は、デジタルビデオカメラ１００の左側外観を覆うカバーユニットであり、左側カバー１１２、及び表示ユニット１１３を有する。表示ユニット１１０は、ＬＣＤ等により構成され、左側カバー１１２に対して不図示のヒンジ機構を介して開閉可能に支持される。左側カバー１１２は、デジタルビデオカメラ１００の左側外装面、後側外装面、及び下側外装面の一部を形成する。
【００２４】
右側カバーユニット１０５は、撮影者がデジタルビデオカメラ１００を把持するためのグリップベルト１１４が取り付けられている。また、デジタルビデオカメラ１００の右側外装面を形成するとともに、後側外装面の一部、及び下側外装面の一部も併せて形成する。
【００２５】
なお、デジタルビデオカメラ１００は、この他にもバッテリー部や記録部など、ビデオカメラとしての機能を果たす為に必要な種々の構成要素を有している。しかし、その構成や機能の詳細は本発明の本質にかかわりが少ないため説明を省略する。
【００２６】
＜上側カバーユニットの構成要素説明＞
次に上側カバーユニット１０３の構成について図３を用いて説明する。図３は上側カバーユニット１０３の裏側から見た分解斜視図である。
【００２７】
上側カバーユニット１０３は、図３に示すように、上側カバー１１５、ＮＦＣ基板１１１、フレキシブル基板１１６、爪部材１１７、保持部材１１８、機構部１１９から構成されている。上側カバー１１５はプラスチックで形成されたデジタルビデオカメラ１００の上面視において大部分の領域を覆う外観カバーであり、その外観は円筒形状をしている。また、内側には左右方向に複数のリブ１１５Ａを配設しているため、その変形に対して非常に強固なものとなっている。
【００２８】
保持部材１１８は、外装を形成する上側カバー１１５の内側に熱カシメまたは接着によって固定されるプラスチックで形成された部材であり、その上側の前側端部に、周囲よりも一段凹となっている基板係止部１３３が２つ設けられている。
【００２９】
機構部１１９は、ズームレバー１０９及びトリガーキー１１０の電気回路及び、操作キートップ、及びそれらを保持するホルダー類が一体となったユニットであり、メインユニット１０１に電気的に接続される構成となっている。
【００３０】
ＮＦＣ基板１１１は、無線機能を有する外部機器と近距離無線通信するための無線モジュール基板であり、ここでその詳細な構成を図４を用いて説明する。図４はＮＦＣ基板１１１の上面図である。
【００３１】
ＮＦＣ基板１１１は、基材１２０の上側同一面内にループ状のパターンから成るアンテナ部１２１と、外部機器とＮＦＣにより接続するためのＮＦＣ制御回路１２２を有する基板である。
【００３２】
またＮＦＣ制御回路１２２の一部にはコネクタ１２４が実装されており、フレキシブル基板１１６の一端が接続される。このフレキシブル基板１１６の他端はメインユニット１０１に内包されているメイン基板（不図示）に接続されており、ＮＦＣ基板１１１はメイン基板側からの命令に基づき外部機器との近距離無線通信を行う。
【００３３】
なお、本実施例にて採用している近距離無線通信とは一般的にＮＦＣ（Ｎｅａｒ  Ｆｉｅｌｄ  Ｃｏｍｍｕｎｉｃａｔｉｏｎ）と呼ばれる技術を用いた通信であり、その通信到達範囲は概ね、数ｃｍから１０ｃｍ程度であり、その使用周波数は１３．５６ＭＨｚである。
【００３４】
本実施例におけるデジタルビデオカメラ１００では、上面側にアンテナ部１２１を有しているため、デジタルビデオカメラ１００の上側から外部機器が１０ｃｍ程度の近傍まで接近してきた場合に相手側機器のＮＦＣ回路と通信を行い、ペアリングや相互接続をする事が可能となる。
【００３５】
また、基材１２０はその後ろ側端の左右両脇には周囲よりも後ろ側に凸した形に延伸している一対の凸部１２３を形成している。
【００３６】
爪部材１１７は外装を形成する上側カバー１１５の内側に熱カシメまたは接着によって固定されるプラスチックで形成された部材であり、その詳細な形状を図５を用いて説明する。
【００３７】
図５は爪部材の詳細を示す斜視図である。爪部材１１７は前側ベース部１１７Ａと右側ベース部１１７Ｂが連結されたＬ字型の形状をしており、ＮＦＣ基板１１１の前側から右側までに回りこむ形となる。
【００３８】
なお、前側ベース部１１７Ａには凸する鉤形状の弾性部１２５を備えている。そして、弾性部１２５の直後は開口部１３２となっており、前側ベース部１１７Ａの一部も合わせて弾性変形することが可能になっており、弾性部１２５の変形容易性の確保に貢献している。また、右側ベース部１１７Ｂの一部は、開口部及び開口部先端から内側に向けて凸する形状から成るフレキ保持部１２６として形成されている。
【００３９】
また、前側ベース部１１７Ａおよび右側ベース部１１７Ｂは、それぞれ個別に上側カバー１１５に対する固定部を有している。これにより、爪部材１１７は上側カバー１１５の梁としての働きをすることとなり、上側カバーユニット１０３の強度確保の一翼を担っている。
【００４０】
＜ＮＦＣ基板の保持方法の説明＞
次に組立状態での上側カバーユニット１０３の各部の位置関係及びＮＦＣ基板１１１の保持方法について図６を用いて説明する。図６において、（ａ）は上側カバーユニット１０３の裏側から見た斜視図である。（ｂ）は（ａ）におけるＡ−Ａ断面を示す図である。（ｃ）は（ａ）におけるＢ−Ｂ断面を示す図である。
【００４１】
保持部材１１８は、前述のとおり上側の前側端部に、周囲よりも一段凹となっている基板係止部１３３が設けられている。そのため、上側カバーユニット１０３は、基板係止部１３３の部位で上側カバー１１５と保持部材１１８の間にはＮＦＣ基板１１１が入るだけの若干の空間が形成され、ＮＦＣ基板１１１は凸部１２３を基板係止部１３３に乗せる形で保持される形となっている。そして、ＮＦＣ基板１１１の凸部１２３の反対端には爪部材１１７の弾性部１２５が係止されている。
【００４２】
ＮＦＣ基板１１１は機構部１１９の金属部よりも上側にある。また、ＮＦＣ基板１１１を保持している上側カバー１１５、爪部材１１７、保持部材１１８の全ては非金属であるプラスチックである。そのため、ＮＦＣ基板１１１の上側では周囲の金属部材によってＮＦＣ基板１１１の無線強度に影響を及ぼすことが無い構成となっている。
【００４３】
また、上側カバー１１５は円筒形状をしているため、図６（ｃ）に示すように、その中央部付近に爪部材１１７の弾性部１２５を配設することにより、ＮＦＣ基板１１１を組み込む際に弾性部１２５が変位するための腕の長さＬを確保することが可能となっている。これにより、弾性部１２５の腕の長さＬの確保を行いつつ、ＮＦＣ基板１１１を外観面に最も近づけることが可能となっている。
【００４４】
次に、上側カバーユニット１０３と前側カバーユニットの組立について図７、図８、図９を用いて説明する。図７は差し込み凸を示す上側カバーユニット１０３の裏側から見た斜視図である。図８は前側カバー１０７の斜視図である。図９は組立状態での弾性部１２５位置での断面図である。
【００４５】
上側カバーユニット１０３は前側カバーユニット１０２に対して真上から組み付ける。この時、図７に示すように上側カバー１１５には、その前側端部近傍に差し込みボス１２７がＮＦＣ基板１１１に対して略左右対称な位置に複数設けられている。そして図８に示すように前側カバー１０７には、図８に示すように差し込み穴１２８が設けられており、この差し込み穴１２８は上側カバー１１５の差し込みボス１２７に対応した位置となっている。そのため、組立状態では差し込みボス１２７が差し込み穴１２８に刺さり、前後方向の位置を互いに規制する構成となっている。
【００４６】
また、図８に示すように、前側カバー１０７上部の略中央部に爪押さえ部１２９が後ろ側に延伸されている。そして、組立状態では図９に示すように、ＮＦＣ基板１１１を保持している弾性部１２５の鉤形状の反対側（図中、弾性部材１２５の左側）に爪押さえ部１２９が近接する。
【００４７】
以上の様な構成を採ることにより、仮にデジタルビデオカメラ１００に対して強い衝撃が加えられ、弾性部１２５が衝撃により変形してしまったとしても、弾性部１２５は爪押さえ部１２９に衝突するため大きく変形することができない。また上側カバー１１５と前側カバー１０７は、差し込みボス１２７と差し込み穴１２８により互いに前後方向の位置を規制しているため、弾性部１２５と爪押さえ部１２９の距離は変化せずに常に一定を保っている。これにより、衝撃が加えられても、弾性部１２５が大きく変形して保持しているＮＦＣ基板１１１が外れてしまうことを防止出来る。
【００４８】
また、本実施例では弾性部１２５がＮＦＣ基板１１１に引っかかることでＮＦＣ基板１１１を保持しているため、経年により保持強度が弱まることもなく、長期に渡って無線通信の信頼性を確保することが可能となる。
【００４９】
また、前述のように上側カバー１１５には左右方向のリブ１１５Ａ、および上側カバー１１５に対して固定されている爪部材１１７の両者の働きにより十分な強度が確保されている。そのため、例えばＮＦＣ通信するために外部機器を外側から近づけた際に、誤って上側カバー１１５の外観面側に衝突してしまったとしても、上側カバー１１５が変形してＮＦＣ基板１１１の保持が外れてしまうという問題を防止する事ができる。
【００５０】
＜フレキシブル基板の保持方法の説明＞
次にフレキシブル基板１１６の保持方法について図１０、図１１、図１２を用いて説明する。図１０はフレキシブル基板１１６の保持を示す分解斜視図である。図１１はフレキシブル基板１１６部での断面図である。図１２は上側カバーユニット１０３の裏側を示す図である。
【００５１】
フレキシブル基板１１６は、図１０に示すように、ＮＦＣ基板１１１への接続側端近傍にフランジ部１３０が一体に形成されている。このフランジ部１３０の幅Ｗは周囲のフレキシブル基板１１６の幅Ｘよりも大きく設定されている。また、爪部材１１７のフレキ保持部１２６は、前述のとおり、開口部及び開口部先端から内側に向けて凸する形状から形成されている。つまり開口部の幅Ｚよりも凸部間の幅Ｙの方が狭くなっている。なお、フレキシブル基板１１６とフレキ保持部１２６の各部の幅関係はＷ＞Ｚ＞Ｘ＞Ｙの関係になっている。
【００５２】
フレキシブル基板１１６は幅Ｘの部位を、フレキ保持部１２６へ、開口部先端側から圧入して組立される。また、フレキ保持部１２６の開口部幅Ｚよりもフレキシブル基板１１６のフランジ部１３０の幅Ｗの方が大きいため、フレキシブル基板１１６を下側に動かそうとした際には、フランジ部１３０がフレキ保持部１２６に引っかかるため、フレキシブル基板１１６は所定の位置よりも下側に移動することができなくなっている。これにより、上側カバーユニット１０３とメインユニット１０１を組み付ける際に、誤ってフレキシブル基板１１６を下側に引っ張ってしまったとしても、フレキシブル基板１１６が個眠た１２４から抜去されてしまうことを防ぐ事が可能となる。
【００５３】
そして、図１１に示すように組み付け状態においては、コネクタ１２４を含むＮＦＣ制御回路１２２はＮＦＣ基板１１１の上側の面に実装されている。これにより円筒形状をしている上側カバー１１５との間に生まれる空間を有効に活用することが可能となり、ＮＦＣ基板１１１の下側、すなわち製品内部の空間を広く取る事ができ、製品の小型化を実現することに貢献している。
【００５４】
また、コネクタ１２４からフレキ保持部１２６の間のフレキシブル基板１１６の距離Ｌ１と、フレキシブル基板１１６が通る事が出来る最短距離Ｌ２の長さを比較すると、フレキシブル基板１１６の長さＬ１の方が十分に長い、Ｌ１＞Ｌ２という関係に設定されている。
【００５５】
以上のことより、組み付け状態でフレキシブル基板１１６はコネクタ１２４とフレキ保持部１２６の間で突っ張る形となり、反力を発生させている。なお、フレキシブル基板１１６の幅は、必要なパターン幅に対して十分に広く設定している。これは、フレキシブル基板１１６の反力を十分に発生させるためである。
【００５６】
ＮＦＣ基板１１１はネジ等で固定されておらず爪で保持されているだけであるため、ＮＦＣ基板１１１がフレキシブル基板１１６の反力によって、フレキシブル基板１１６の反対側である左側に移動する。そのため図１２に示すように、ＮＦＣ基板１１１の左側には上側カバー１１５から一体に成形されるつき当て部１３１に押圧される。ＮＦＣ基板１１１をつき当て部１３１に押圧することにより、ＮＦＣ基板１１１のガタを相殺し、ＮＦＣ基板１１１が動くことを抑制している。これにより、例えば撮影中にＮＦＣ基板１１１が動いてしまい、その動作音がマイク１０８により記録されてしまうという問題を防ぐ事が可能となっている。
【００５７】
また、つき当て部１３１はフレキシブル基板１１６の中心に対して略対称な位置に２つ配設されている。これにより、ＮＦＣ基板１１１が傾いた状態でつき当て部１３１につきあたる事を防ぎ、デジタルビデオカメラ１００に対して並行にＮＦＣ基板１１１を配置することが可能となり、フレキシブル基板１１６の反力のバラつきによって、アンテナ位置が変わってしまうという問題を防ぐ事が可能となっている。
【００５８】
以上説明してきたように、ＮＦＣ基板１１１を上側カバーユニット１１５側からの爪部材１１７で保持し、爪部材１１７の弾性部１２５後ろ側を、互いに位置を規制している前側カバー１０７で支えている。なお、この時、ＮＦＣ基板１１１を保持していいる部品は全て非金属で構成している。また、爪部材１１７と一体で形成されたフレキ保持部１２６にフランジ部１３０をひっかっけ、フレキシブル基板１１６の反力にて上側カバー１１５に対してフレキシブル基板１１６を押し付ける事によりＮＦＣ基板１１１を保持する構成を採用している。
【００５９】
本実施例に示す、上記の様なＮＦＣ基板の保持構造を採ることによって、衝撃や経年劣化に強いアンテナ保持構造の実現が可能となる。
【００６０】
以上、本発明をその好適な実施形態に基づいて詳述してきたが、本発明は上記実施例に示す形態のみに限定されるものではなく、本発明と同様の効果が得られるものであれば、この発明の要旨を逸脱しない範囲の様々な形態も本発明に含まれる。また、上述の実施形態の一部を適宜組み合わせてもよい。
【符号の説明】
【００６１】
１００  デジタルビデオカメラ、１０１  メインユニット、
１０２  前側カバーユニット、１０３  上側カバーユニット、
１０４  左側カバーユニット、１０５  右側カバーユニット、１０６  撮像光学系、
１０７  前側カバー、１０８  マイク、１０９  ズームレバー、１１０  トリガーキー、
１１１  ＮＦＣ基板、１１２  左側カバー、１１３  表示ユニット、
１１４  グリップベルト、１１５  上側カバー、１１６  フレキシブル基板、
１１７  爪部材、１１８  保持部材、１１９  機構部、１２０  基材、
１２１  アンテナ部、１２２  ＮＦＣ制御回路、１２３  凸部、１２４  コネクタ、
１２５  弾性部、１２６  フレキ保持部、１２７  差し込みボス、１２８  差し込み穴、
１２９  爪押さえ部、１３０  フランジ部、１３１  つき当て部、１３２  開口部、
１３３  基板係止部
【図１】
2016086211.tif 000003
【図２】
2016086211.tif 000004
【図３】
2016086211.tif 000005
【図４】
2016086211.tif 000006
【図５】
2016086211.tif 000007
【図６】
2016086211.tif 000008
【図７】
2016086211.tif 000009
【図８】
2016086211.tif 000010
【図９】
2016086211.tif 000011
【図１０】
2016086211.tif 000012
【図１１】
2016086211.tif 000013
【図１２】
2016086211.tif 000014